(57)【要約】【課題】不正行為の抑制を図ることのできる遊技機を提供する。【解決手段】パチンコ機は、主制御装置２６１やサブ制御装置５６０等を備えている。これら制御装置はハーネスＣ１等により電気的に接続されている。このうち、所定のハーネスＣ３はハーネス封止ユニット８００により封止されている。ハーネス封止ユニット８００は、サブ制御装置５６０の取付部９００に取付けられるベース部材と、２つの封止部材とを備えている。封止部材は、ベース部材に取付固定される固定部と、当該固定部から延出したベルト部と、当該ベルト部の自由端側に設けられた連結部とを備えている。連結部は、フック部と、その付根部に形成されたくびれ部とを備えている。ベース部材には、連結部が挿入される連結孔部が形成されている。連結孔部内には、フック部が係止される突起部が形成されている。ベルト部にはベース部材に圧接される抑え片が延出形成されている。【選択図】      図８
2014008191.tif 000002
【特許請求の範囲】
【請求項１】
複数の電気部品がハーネスを介して電気的に接続されると共に、
所定の契機に基づき抽選を行い、当該抽選により当選結果が得られた場合には遊技者にとって有利な特別遊技状態を発生させる遊技機であって、
所定部材に対し前記ハーネスを封止する封止部材を備え、
前記封止部材は、
前記ハーネスのケーブルに交差するように配設されるベルト部と、
前記ベルト部の一端側に設けられ、所定の第１被係合部に対し取外し不能に係合される第１係合部と、
前記ベルト部の他端側に設けられ、所定の第２被係合部に対し取外し不能に係合される第２係合部と、
前記第１係合部及び第２係合部の少なくとも一方に対応して設けられ、当該係合部を前記ベルト部から切離し可能とする破断部とを備えていることを特徴とする遊技機。
【発明の詳細な説明】
【技術分野】
【０００１】
本発明は、パチンコ機等の遊技機に関するものである。
【背景技術】
【０００２】
従来、パチンコ機等の遊技機には、入賞検知スイッチや可変入賞装置などの各種電気機器や、遊技に関わる各種制御を行う各種制御基板などが配設されている。
【０００３】
パチンコ機では、各種制御基板同士や、各種制御基板と各種電気機器とがハーネスによって直接的に又は中継基板等を介して電気的に接続されている。
【０００４】
通常、制御基板や中継基板は、基板ボックスと呼ばれるケース部材に格納された状態で装着されている。基板ボックスには、内部の基板に設けられた端子部（以下、基板側コネクタという）に対応して開口部が形成されており、当該開口部を介してボックス外部に露出した基板側コネクタに対し、ハーネスのコネクタ（以下、ハーネス側コネクタという）が着脱自在に接続される（例えば特許文献１参照）。
【先行技術文献】
【特許文献】
【０００５】
【特許文献１】特開２００８−１４８８５３号公報
【発明の概要】
【発明が解決しようとする課題】
【０００６】
しかしながら、近年では、ハーネス側コネクタを基板側コネクタから取外し、当該ハーネス側コネクタ又は基板側コネクタに対し不正機器を接続する、所謂「ぶら下げ」と称される行為などの不正行為が問題となっている。
【０００７】
このような問題は、パチンコ機に限らず、スロットマシンなど他の遊技機にも内在するものである。
【０００８】
本発明は、上記例示した問題点などを解決するためになされたものであり、その目的は、不正行為の抑止を図ることのできる遊技機を提供することにある。
【課題を解決するための手段】
【０００９】
上記の目的を達成するため、本発明に係る遊技機は、
複数の電気部品がハーネスを介して電気的に接続されると共に、
所定の契機に基づき抽選を行い、当該抽選により当選結果が得られた場合には遊技者にとって有利な特別遊技状態を発生させる遊技機であって、
所定部材に対し前記ハーネスを封止する封止部材を備え、
前記封止部材は、
前記ハーネスのケーブルに交差するように配設されるベルト部と、
前記ベルト部の一端側に設けられ、所定の第１被係合部に対し取外し不能に係合される第１係合部と、
前記ベルト部の他端側に設けられ、所定の第２被係合部に対し取外し不能に係合される第２係合部と、
前記第１係合部及び第２係合部の少なくとも一方に対応して設けられ、当該係合部を前記ベルト部から切離し可能とする破断部とを備えていることをその要旨としている。
【発明の効果】
【００１０】
本発明の遊技機によれば、不正行為の抑止を図ることができるという優れた効果を奏する。
【図面の簡単な説明】
【００１１】
【図１】一実施形態におけるパチンコ機を示す正面図である。
【図２】パチンコ機の斜視図である。
【図３】内枠及び前面枠セットを開放した状態を示す斜視図である。
【図４】内枠及び遊技盤の構成を示す正面図である。
【図５】遊技盤の構成を示す背面図である。
【図６】パチンコ機の構成を示す背面図である。
【図７】サブ制御装置が載置された状態を示す、装飾図柄表示装置及び表示制御装置の背面図である。
【図８】各種ハーネスが配線された状態を示す遊技盤の背面図である。
【図９】電気的構成を示すブロック図である。
【図１０】ベース部材から封止部材が取外された状態のハーネス封止ユニットを示す平面図である。
【図１１】ベース部材から封止部材が取外された状態のハーネス封止ユニットを示す背面図である。
【図１２】ベース部材から封止部材が取外された状態のハーネス封止ユニットを示す側面図である。
【図１３】ベース部材から封止部材が取外された状態のハーネス封止ユニットを表側の前方斜め上方位置から見た斜視図である。
【図１４】ベース部材から封止部材が取外された状態のハーネス封止ユニットを表側の後方斜め上方位置から見た斜視図である。
【図１５】ベース部材と封止部材が組付けられた状態のハーネス封止ユニットを示す平面図である。
【図１６】ベース部材と封止部材が組付けられた状態のハーネス封止ユニットを示す背面図である。
【図１７】ベース部材と封止部材が組付けられた状態のハーネス封止ユニットを示す側面図である。
【図１８】ベース部材と封止部材が組付けられた状態のハーネス封止ユニットを表側の前方斜め上方位置から見た斜視図である。
【図１９】ベース部材と封止部材が組付けられた状態のハーネス封止ユニットを表側の後方斜め上方位置から見た斜視図である。
【図２０】ベース部材と封止部材が組付けられた状態のハーネス封止ユニットを裏側の前方斜め下方位置から見た斜視図である。
【図２１】ベース部材と封止部材が組付けられた状態のハーネス封止ユニットを裏側の後方斜め下方位置から見た斜視図である。
【図２２】ハーネスの封止手順を説明する図であって、（ａ）はハーネス封止ユニット及び取付部の組付け前の状態を示す斜視図であり、（ｂ）はその平面図であり、（ｃ）はその背面図である。
【図２３】ハーネスの封止手順を説明する図であって、（ａ）はハーネス封止ユニット及び取付部の組付け後の状態を示す斜視図であり、（ｂ）はその平面図であり、（ｃ）はその背面図である。
【図２４】ハーネスの封止手順を説明する図であって、（ａ）はハーネスを配設した状態のハーネス封止ユニット及び取付部を示す斜視図であり、（ｂ）はその平面図であり、（ｃ）はその背面図である。
【図２５】ハーネスの封止手順を説明する図であって、（ａ）はハーネス封止後のハーネス封止ユニット及び取付部を示す斜視図であり、（ｂ）はその平面図であり、（ｃ）はその背面図である。
【図２６】ハーネス封止ユニット及び取付部を示す図７のＫ−Ｋ線部分断面図であって、（ａ）はハーネス封止前の状態を示す図であり、（ｂ）はハーネス封止過程の状態を示す図であり、（ｃ）はハーネス封止後の状態を示す図であり、（ｄ）はハーネスの封止解除を行った状態を示す図である。
【図２７】別の実施形態に係るハーネス封止ユニットが取外された状態を示す、サブ制御装置、装飾図柄表示装置及び表示制御装置の斜視図である。
【図２８】別の実施形態に係るハーネス封止ユニットを説明するための図２７のＪ−Ｊ線部分断面図である。
【発明を実施するための形態】
【００１２】
〔第１実施形態〕
以下、パチンコ遊技機（以下、単に「パチンコ機」という）の一実施形態を、図面に基づいて詳細に説明する。ここで、図１はパチンコ機１０の正面図であり、図２は斜視図である。また、図３は、内枠１２及び前面枠セット１４を開放した状態を示す斜視図である。但し、図３では便宜上、遊技盤３０面上に配設される釘や役物、前面枠セット１４に取付けられるガラスユニット１３７などを省略して示している。
【００１３】
図１乃至図３に示すように、パチンコ機１０は、当該パチンコ機１０の外郭を構成する外枠１１を備えており、この外枠１１の一側部に内枠１２が開閉可能に支持されている。外枠１１は、例えば木製の板材により全体として矩形状に構成され、小ネジ等の離脱可能な締結具により各板材が組み付けられている。
【００１４】
外枠１１の左辺部には、上ヒンジ８１及び下ヒンジ８２が設けられている。当該上ヒンジ８１及び下ヒンジ８２にて、内枠１２の上下部が回動可能に支持されており、これにより内枠１２が開閉可能に支持される。また、便宜上、図示は省略するが、外枠１１の右辺部には、後述する施錠装置６００の係止部材が係止される上下一対の受け金具が取付けられている。さらに、外枠１１下部には、樹脂製の幕板飾り８５が取着されている。
【００１５】
内枠１２の開閉軸線は、上述したようにパチンコ機１０の正面からみて左側において上下に沿って設定されており、この開閉軸線を軸心として内枠１２が前方側に開放できるようになっている。内枠１２は、外形が矩形状をなす青色の樹脂ベース３８を主体に構成されており、当該樹脂ベース３８の中央部には略楕円形状の窓孔３９が形成されている。
【００１６】
また、内枠１２の前面側には、前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００１７】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００１８】
前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００１９】
下皿１５の右方には、手前側に突出した遊技球発射ハンドル（以下、単にハンドルという）１８が設けられ、下皿１５の左方には、灰皿２６が設けられている。尚、ハンドル１８には、図示しないタッチセンサや、ハンドル１８の操作部の操作量を検出するための図示しない操作量検出手段が設けられている。
【００２０】
下皿１５の上方には上皿１９が設けられている。上皿１９は、遊技球を一旦貯留し、一列に整列させながら後述する遊技球発射装置（以下、単に発射装置という）７０の方へ案内する球受皿である。なお、上皿１９から溢れる遊技球は下皿１５へ案内されるようになっている。
【００２１】
上皿１９には球貸しボタン１２１と返却ボタン１２２とが設けられている。これにより、遊技場等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００２２】
また、前面枠セット１４の前面にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、中央電飾部１０３の左右側方には、所定のエラー時に点灯するエラー表示ランプ１０４が設けられている。また、各エラー表示ランプ１０４に隣接してスピーカＳＰ（図８参照）が設けられるとともに、当該スピーカＳＰの前側にスピーカカバー２４が取着されている。
【００２３】
前面枠セット１４の背面側にはガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。
【００２４】
次に、内枠１２（樹脂ベース３８）について図４を参照して説明する。図４は、内枠及び遊技盤の構成を示す正面図である。
【００２５】
上述した通り、内枠１２（樹脂ベース３８）には、窓孔３９の後側に遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００２６】
また、内枠１２（樹脂ベース３８）の下部、すなわち窓孔３９（遊技盤３０）の下方位置には、後側へ膨出した膨出部４０が形成されている。この膨出部４０の前面右側には、発射装置７０が取付けられている。本実施形態では、発射装置７０としてソレノイド式発射装置を採用している。また、膨出部４０には、後述する払出機構部３５２から上記下皿１５の排出口１６へ繋がる球通路７１が設けられている。また、発射装置７０の発射レール７０ａと後述するレール５０（外レール構成部５２）との間には所定間隔の隙間があり、この隙間より下方にファール球通路７２が形成されている。これにより、仮に、発射装置７０から発射された遊技球が後述する戻り球防止部材５３まで至らずファール球としてレール５０を逆戻りする場合には、そのファール球がファール球通路７２及び球通路７１を介して下皿１５に排出される。また、球通路７１の下側にはハーネスカバー７４が設けられている。これにより中継基板７５と発射装置７０とを接続するハーネス（図示略）をまとめている。
【００２７】
また、図３に示すように、内枠１２の右側部背面側には施錠装置６００が設けられている。施錠装置６００は、前面枠セット１４の前面側に露出するシリンダ錠７００を備えており、該シリンダ錠７００の鍵穴に鍵を挿入し、一方に回動操作することで内枠１２を解錠でき、他方に回動操作することで前面枠セット１４及び裏パックユニット２０３を解錠できるようになっている。本実施形態では、内枠１２は外枠１１に対し施錠され、前面枠セット１４及び裏パックユニット２０３は内枠１２に対し施錠される。
【００２８】
次に、遊技盤３０の構成について図４を参照して説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、それぞれに対応して設けられた検出スイッチの出力により、上皿１９（または下皿１５）へ所定数の賞球が払い出される。その他に、遊技盤３０にはアウト口３６が設けられており、入球手段としての各種入賞部（一般入賞口３１、可変入賞装置３２、第１契機対応口３３）に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００２９】
また、第１契機対応口３３へ遊技球が入球したことを契機として大当たり抽選が行われ、当該大当たり抽選により当選結果が得られた場合には特別遊技状態としての大当たり状態が発生する。
【００３０】
可変表示装置ユニット３５には、第２契機対応口３４の通過をトリガとして変動表示する普通図柄表示装置４１と、第１契機対応口３３への入賞をトリガとして変動表示する特別表示装置４３と、特別表示装置４３による変動表示に合わせて変動表示する可変表示装置としての装飾図柄表示装置４２とが設けられている。
【００３１】
普通図柄表示装置４１は複数の発光手段（ＬＥＤ）を内蔵しており、遊技球が第２契機対応口３４を通過する毎に点灯表示態様が切換表示（変動表示）され、その変動表示が特定の点灯態様で数秒間停止した場合に第１契機対応口３３が所定時間だけ作動状態となる（開放される）よう構成されている。この普通図柄表示装置４１は、後述する主制御装置２６１によって直接的に表示内容が制御される。また、普通図柄表示装置４１の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００３２】
特別表示装置４３は、普通図柄表示装置４１の側方に設けられた複数の発光部により構成され、遊技球が第１契機対応口３３を通過する毎に点灯する発光部の組合せが切換えられる（変動表示される）。そして、変動表示が停止したときに点灯している発光部の組合わせにより、大当たりか否かが確定的に表示される。この特別表示装置４３についても、主制御装置２６１によって表示内容が直接的に制御される。また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００３３】
装飾図柄表示装置４２は、液晶表示装置であって、後述するサブ制御装置５６０によって表示内容が制御される。すなわち、装飾図柄表示装置４２においては、特別表示装置４３にて表示される結果に対応させるように、主制御装置２６１からのコマンド（指令信号）に基づき、サブ制御装置５６０によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。センターフレーム４７内には、各種ＬＥＤ等の発光手段や、当該ＬＥＤ等を駆動するＬＥＤ制御基板なども配設されている。
【００３４】
可変入賞装置３２は、通常は遊技球が入賞できない又は入賞し難い閉状態になっており、大当たり（特別遊技状態の発生）の際に、遊技球が入賞しやすい開状態とされる。具体的には、所定時間の経過又は所定個数の入賞を１ラウンドとして、可変入賞装置３２の大入賞口が所定回数（所定ラウンド数）繰り返し開放される。
【００３５】
また、遊技盤３０には、発射装置７０から発射された遊技球を遊技盤３０上部へ案内するレール５０が取付けられている。これにより、ハンドル１８の回動操作に伴い発射された遊技球はレール５０を通じて、遊技盤面上に形成された遊技領域内に案内される。レール５０は内レール構成部５１と外レール構成部５２とからなる。
【００３６】
内レール構成部５１の先端部分には戻り球防止部材５３が取着されている。これにより、一旦、レール５０から遊技盤３０の上部へと案内された遊技球が再度レール５０内に戻ってしまうといった事態が防止される。
【００３７】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００３８】
次に、パチンコ機１０の背面構成について図５，６を参照して説明する。図５は、遊技盤の構成を示す背面図であり、図６は、パチンコ機の構成を示す背面図である。
【００３９】
パチンコ機１０の背面には、各種制御基板が上下左右に並べられるようにして、一部前後に重ねられるようにして配置されている。さらに、遊技球を供給する遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主制御基板としての主基板だけを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。なお、第１制御基板ユニット２０１、第２制御基板ユニット２０２及び裏パックユニット２０３は、ユニット単位で着脱できるよう構成されており、さらに、一部に支軸部を設けて内枠１２又は遊技盤３０の裏面に対して開閉できる構成となっている。
【００４０】
まず、遊技盤３０の背面構成について説明する。上述したように遊技盤３０の中央にはルータ加工によって形成された貫通穴に対して可変表示装置ユニット３５が配設されている。
【００４１】
可変表示装置ユニット３５の後部には、センターフレーム４７を背後から覆う樹脂製のフレームカバー２１３が後方に突出して設けられている。但し、本実施形態では、センターフレーム４７が遊技盤３０の前面側に固定され、フレームカバー２１３が遊技盤３０の裏面に固定されることによって、可変表示装置ユニット３５として一体化される構成となっている。そして、このフレームカバー２１３の後端に、液晶表示装置たる装飾図柄表示装置４２と表示制御装置４５とが前後に重ね合わされ一体化（ユニット化）された状態で取付けられている。さらに、表示制御装置４５の背面側にはサブ制御装置５６０が取付けられている。
【００４２】
装飾図柄表示装置４２及び表示制御装置４５は、液晶表示器４２ａや表示制御基板６５０等が、樹脂材料よりなるユニットボックス６５４に一体に収容されることにより構成されている。
【００４３】
表示制御基板６５０には、後述するようなＣＰＵ５２１、プログラムＲＯＭ５２２、ワークＲＡＭ５２３、ビデオＲＡＭ５２４、キャラクタＲＯＭ５２５、ＶＤＰ５２６などの各種電子部品が実装されている。また、表示制御基板６５０は、所定の端子部を介して液晶表示器４２ａと電気的に接続されている。
【００４４】
ユニットボックス６５４の背壁部６５５には、表示制御基板６５０に設けられた端子部（基板側コネクタ）６５８，６５９を外部に露出させるための端子部窓６６０が形成されている。この端子部窓６６０を介して表示制御装置４５の外側から表示制御基板６５０の端子部６５８，６５９への後述するハーネスＣ２，Ｃ４のコネクタ等の抜き差しが可能となる。
【００４５】
さて、本実施形態では、図７に示すように、ユニットボックス６５４の背壁部６５５にはサブ制御装置５６０が載置されている。図７は、ユニットボックス６５４にサブ制御装置５６０が載置された状態を示す上記ユニット（装飾図柄表示装置４２及び表示制御装置４５）の背面図である。
【００４６】
サブ制御装置５６０は、後述するように主制御装置２６１（主基板２６２）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板５６１を具備しており、このサブ制御基板５６１が透明樹脂材料等よりなる基板ボックス５６２に収容されて構成されている。
【００４７】
基板ボックス５６２は、ボックスベース５６３と該ボックスベース５６３を覆うボックスカバー５６４とからなる。
【００４８】
ボックスベース５６３の裏面には、図示しない係合爪部が形成されており、当該係合爪部が上記ユニットボックス６５４の背壁部６５５に形成された図示しない係合孔部に係合されることによりサブ制御装置５６０（基板ボックス５６２）が固定される。
【００４９】
また、ボックスベース５６３上には、主中継基板５７０が搭載されており、後述する電源基板３１３ａより供給される電源がこの主中継基板５７０を介してサブ制御装置５６０及び表示制御装置４５に供給されるようになっている。
【００５０】
より詳しくは、主中継基板５７０には、後述する各種ハーネスのコネクタを接続するための複数の端子部（基板側コネクタ）５７１，５７２，５７３が左右方向に沿って並設されている。各端子部５７１〜５７３は、主中継基板５７０に突出形成されている。これに対応してサブ制御装置５６０のボックスカバー５６４の下部には凹部（退避部）５７４が形成さている。そして、当該凹部５７４に開口した孔部を介して端子部５７１，５７２，５７３が基板ボックス５６２外に露出状態となっている。
【００５１】
図６，図８に示すように、端子部５７１には、電源供給用のハーネスＣ１が接続される。ハーネスＣ１の他方は、電源装置３１３の端子部（基板側コネクタ）５９０に接続される。図８は、各種ハーネスが配線された状態を示す遊技盤３０の背面図である。なお、図５等においては便宜上、各ハーネスの図示を省略するとともに、図６，図８においてのみ、主要なハーネスＣ１〜Ｃ１０を図示しているが、勿論、パチンコ機１０にはこの他にも多数のハーネスが配線される。
【００５２】
端子部５７２には、電源供給用のハーネスＣ２が接続される。ハーネスＣ２の他方は、表示制御装置４５の端子部６５９に接続される。つまり、主中継基板５７０を介して表示制御装置４５へ電源供給がなされる。
【００５３】
端子部５７３には、コマンド信号（指令信号）用のハーネスＣ３が接続される。ハーネスＣ３の他方は、主制御装置２６１の端子部７０２が接続される。
【００５４】
また、図７に示すように、主中継基板５７０の上縁部には、差込部となるコネクタ５７５，５７６が上方向に向け突設され、これに対応するサブ制御基板５６１の下縁部には、前記コネクタ５７５，５７６に対向するようにして差込口となるコネクタ５７７，５７８が下方向に向け突設されている。そして、サブ制御基板５６１及び主中継基板５７０をボックスベース５６３上に搭載するに際して、主中継基板５７０側のコネクタ５７５，５７６が、サブ制御基板５６１側のコネクタ５７７，５７８に差込まれることにより両者が電気的に接続される。コネクタ５７５，５７７は電源供給用であり、コネクタ５７６，５７８はコマンド信号（指令信号）用である。つまり、主中継基板５７０を介して、主制御装置２６１からサブ制御装置５６０に対しコマンド（指令信号）が送信される。
【００５５】
なお、主中継基板５７０には、普通図柄表示装置４１及び特別表示装置４３も電気的に接続されている（図９参照）。そして、主制御装置２６１は、普通図柄表示装置４１及び特別表示装置４３に対し、ハーネスＣ３すなわち主中継基板５７０を介して制御信号等を出力する。従って、普通図柄表示装置４１及び特別表示装置４３は、サブ制御基板５６１を介さず、主制御装置２６１により直接的に制御される。勿論、普通図柄表示装置４１及び特別表示装置４３は、主中継基板５７０を介さず、所定のハーネスを介して主制御装置２６１に直接接続される構成としてもよい。
【００５６】
一方、装飾図柄表示装置４２は、サブ制御装置５６０（サブ制御基板５６１）を介して制御される。より詳しくは、サブ制御基板５６１の上部右端部近傍には、コマンド信号（指令信号）用の端子部（基板側コネクタ）５７９が突設されている。これに対応してサブ制御装置５６０のボックスカバー５６４の背壁部５６６の上部右端部近傍には開口部５８０が形成され、当該開口部５８０を介して端子部５７９が基板ボックス５６２外に露出状態となっている。そして、この端子部５７９には、コマンド信号（指令信号）用のハーネスＣ４が接続される（図８参照）。ハーネスＣ４の他方は、表示制御装置４５の端子部６５８が接続される。図８からも分かる通り、本実施形態では、サブ制御装置５６０の端子部５７９と、表示制御装置４５の端子部６５８とが比較的近い位置に設けられており、ハーネスＣ４として比較的ケーブル長の短いものを採用している。これは所謂「ぶら下げ」等の不正行為を抑制するためである。
【００５７】
さて、図５の説明に戻り、遊技盤３０の裏面には、フレームカバー２１３の下方にて、裏枠セット２１５が取付けられている。この裏枠セット２１５は、第１制御基板ユニット２０１の取付台として機能するとともに、図示は省略するが、各種入賞口に入賞した遊技球を回収するための球回収機構を備えている。
【００５８】
第１制御基板ユニット２０１の下方に位置する第２制御基板ユニット２０２には、図６に示すように前記裏枠セット２１５の球回収機構の下方位置において排出通路部２１７が形成されており、該排出通路部２１７には排出球をパチンコ機１０外部へ排出する排出シュート２１８が形成されている。従って、一般入賞口３１等に入賞した遊技球は何れも裏枠セット２１５の球回収機構を介して集合し、さらに排出通路部２１７の排出シュート２１８を介してパチンコ機１０外部に排出される。なお、アウト口３６も同様に排出通路部２１７に通じており、何れの入賞口にも入賞しなかった遊技球も排出シュート２１８を介してパチンコ機１０外部に排出される。
【００５９】
さらに、遊技盤３０の裏面には、各種入賞口などの遊技球の通過を検出するための入球検出手段としての入球検出スイッチなどが設けられている。具体的には、図４に示すように、遊技盤３０表側の一般入賞口３１に対応する位置には入賞口スイッチ２２１が設けられ、可変入賞装置３２にはカウントスイッチ２２３が設けられている。カウントスイッチ２２３は可変入賞装置３２に入賞した遊技球をカウントするスイッチである。また、第１契機対応口３３に対応する位置には第１契機対応口（始動口）スイッチ２２４が設けられ、第２契機対応口３４に対応する位置には第２契機対応口（ゲート）スイッチ２２５が設けられている。
【００６０】
入賞口スイッチ２２１、カウントスイッチ２２３及び第２契機対応口（ゲート）スイッチ２２５は、ハーネスを介して図示しない第１盤面中継基板に接続され、さらにこの第１盤面中継基板が後述する主基板２６２（主制御装置２６１）にハーネスＣ６を介して接続されている（図８参照）。これに対し、第１契機対応口（始動口）スイッチ２２４は中継基板を経ることなく直接主基板２６２にハーネスＣ５を介して接続されている（図８参照）。
【００６１】
その他図示は省略するが、可変入賞装置３２には、大入賞口を開放するための駆動手段としての大入賞口ソレノイドが設けられ、第１契機対応口３３には、電動役物を開放するための駆動手段としての第１契機対応口（始動口）ソレノイドが設けられている。これら大入賞口ソレノイド及び第１契機対応口（始動口）ソレノイドはハーネスを介して図示しない第２盤面中継基板に接続され、さらにこの第２盤面中継基板がやはりハーネスＣ７を介して主基板２６２に接続されている（図８参照）。
【００６２】
上記検出スイッチにて各々検出された検出結果は、後述する主基板２６２（主制御装置２６１）に取り込まれ、該主基板２６２よりその都度の入賞状況に応じた払出指令（遊技球の払出個数）が払出制御基板３１１ａ（図９参照）に送信される。そして、該払出制御基板３１１ａの出力により所定数の遊技球の払出しが実施される。本実施形態のパチンコ機１０では、各種入賞口毎に遊技球の入賞を電気的に感知して払出しが直ちに行われる。
【００６３】
さて、第１制御基板ユニット２０１に設けられた主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板２６２（図９参照）を具備しており、この主基板２６２が透明樹脂材料等よりなる基板ボックス２６３に収容されて構成されている。
【００６４】
なお、基板ボックス２６３は、略直方体形状のボックスベース２６５と該ボックスベース２６５を覆うボックスカバー２６６とを備えている。
【００６５】
また、これらボックスベース２６５とボックスカバー２６６とは、封印手段としての左右の封印ユニット２６４Ａ，２６４Ｂによって連結されており、基板ボックス２６３が開封された場合には、封印ユニット２６４Ａ，２６４Ｂにおいて所定の痕跡が残るよう構成されている。これにより、基板ボックス２６３が不正に開封された旨を容易に発見することができる。
【００６６】
封印ユニット２６４Ａ，２６４Ｂはボックスベース２６５とボックスカバー２６６とを開封不能に連結する構成であれば任意の構成が適用できるが、本実施形態では左側の封印ユニット２６４Ａは３つの封印部材が連結された構成となっており、右側の封印ユニット２６４Ｂは２つの封印部材が連結された構成となっている。そして、これら封印部材の長孔に係止爪を挿入することでボックスベース２６５とボックスカバー２６６とが開封不能に連結されるようになっている。封印ユニット２６４Ａ，２６４Ｂによる封印処理は、その封印後の不正な開封を防止し、また万一不正開封が行われてもそのような事態を早期に且つ容易に発見可能とするものであって、一旦開封した後でも再度開封・封印処理を行うこと自体は可能である。すなわち、封印ユニット２６４Ａ，２６４Ｂを構成する３つ又は２つの封印部材のうち、少なくとも一つの封印部材の長孔に係止爪を挿入することにより封印処理が行われる。そして、収容した主基板２６２の不具合などにより基板ボックス２６３を開封する場合には、係止爪が挿入された封印部材と他の封印部材との連結を切断する。その後、再度封印処理する場合は他の封印部材の長孔に係止爪を挿入する。基板ボックス２６３の開封を行った旨の履歴を当該基板ボックス２６３に残しておけば、基板ボックス２６３を見ることで不正な開封が行われた旨を容易に発見できる。
【００６７】
また、図５，６に示すように、主基板２６２の上縁部近傍には、各種ハーネスのコネクタを接続するための複数の端子部（基板側コネクタ）７０１，７０２，７０３，７０４が左右方向に沿って並設されている。各端子部７０１〜７０４は、主基板２６２に突出形成されており、ボックスカバー２６６の上部に形成された凹部（退避部）２６６ａに開口した孔部を介して基板ボックス２６３外に露出状態となっている。
【００６８】
図８に示すように、端子部７０１には、第１契機対応口スイッチ２２４に繋がるハーネスＣ５が接続される。端子部７０２には、主中継基板５７０に接続されるハーネスＣ３が接続される。端子部７０３には、入賞口スイッチ２２１等との中継機能を果たす上記第１盤面中継基板に繋がるハーネスＣ６が接続される。端子部７０４には、大入賞口ソレノイドや第１契機対応口ソレノイド等との中継機能を果たす上記第２盤面中継基板に繋がるハーネスＣ７が接続される。
【００６９】
また、主基板２６２の下縁部近傍にも、各種ハーネスのコネクタを接続するための複数の端子部（基板側コネクタ）７０５，７０６が設けられている。各端子部７０５，７０６は、主基板２６２に突出形成されており、ボックスカバー２６６の下部に開口した孔部を介して基板ボックス２６３外に露出状態となっている。
【００７０】
端子部７０５には、電源供給用のハーネスＣ８が接続される。ハーネスＣ８の他方は、電源装置３１３の端子部５９１に接続される。
【００７１】
端子部７０６には、コマンド信号用のハーネスＣ９が接続される。ハーネスＣ９の他方は、払出制御装置３１１の端子部５９２が接続される。これにより、ハーネスＣ９を介して、主制御装置２６１から払出制御装置３１１に対しコマンドが送信される。
【００７２】
なお、図８等からも分かる通り、本実施形態では、主基板２６２の端子部７０２と、主中継基板５７０の端子部５７３とが比較的近い位置に設けられており、ハーネスＣ３として比較的ケーブル長の短いものを採用している。これは所謂「ぶら下げ」等の不正行為を抑制するためである。
【００７３】
さらに、本実施形態では、主基板２６２と主中継基板５７０とを接続するハーネスＣ３の取外しを防止するためのハーネス封止ユニット８００が設けられている（図５，７，８等参照）。
【００７４】
図５，７，８等に示すように、ハーネス封止ユニット８００は、ボックスカバー５６４の背壁部５６６の下部に取着されている。ボックスカバー５６４の背壁部５６６の下部には、凹部５７４の右側に隣接するように、ハーネス封止ユニット８００を取着するための取付部９００が設けられている。
【００７５】
ここで、ハーネス封止ユニット８００及び取付部９００の構成について、図１０〜図２６を参照して詳しく説明する。
【００７６】
まずハーネス封止ユニット８００について説明する。ハーネス封止ユニット８００は、支持部材としてのベース部材８０２と、２つの封止部材８０３とから構成されている（図１０〜図２１参照）。ベース部材８０２及び封止部材８０３は、それぞれ合成樹脂材料により一体形成されている。
【００７７】
封止部材８０３は、自身をベース部材８０２に対し取付固定するための第１係合部としての固定部８１２と、当該固定部８１２から延出した略板状のベルト部８１３と、当該ベルト部８１３の自由端側に設けられた第２係合部としての連結部８１４とを備えている。
【００７８】
固定部８１２は、ベース部材８０２を把持するための一対のアーム部８１５，８１６と、両アーム部８１５，８１６を繋ぐブリッジ部８１７とを有し、全体として断面略コ字状に形成されている。
【００７９】
両アーム部８１５，８１６の先端部には、それぞれ相対向する側に係止爪８１５ａ，８１６ａが突出形成されている。
【００８０】
両アーム部８１５，８１６は、ブリッジ部８１７からの延出長が異なるよう構成されている。より詳しくは、表側のアーム部８１５よりも裏側のアーム部８１６の方が長く、また、その厚みや係止爪の大きさ等も裏側のアーム部８１６の方が大きく形成されている（図１２参照）。
【００８１】
ベルト部８１３は、表側のアーム部８１５の外側のブリッジ部８１７近傍からアーム部８１５，８１６の延出方向とは逆方向（図１０〜１２の右方向）へ延出形成されている。
【００８２】
ベルト部８１３の付根部近傍には、薄肉部８２０が形成されている。これにより、ベルト部８１３は、薄肉部８２０を基点として折り曲げ可能となる。
【００８３】
連結部８１４は、ベルト部８１３の先端部近傍から表側に向け突出形成されている。より詳しくは、連結部８１４は、ベルト部８１３に突出形成された矩形状の基部８２１と、当該基部８２１から突出形成されたフック部８２２とを備えている。
【００８４】
連結部８１４は本実施形態における係合突部を構成し、フック部８２２は係合爪を構成し、基部８２１は蓋部を構成する。
【００８５】
フック部８２２は、その先端側（自由端側）がベルト部８１３の付根側に向け屈曲形成された断面略Ｖ字状をなす。
【００８６】
フック部８２２の付根部には、当該フック部８２２の他の部位よりも細くなったくびれ部８２３が形成されている。くびれ部８２３は、その幅方向（図１０，１１の上下方向）両側部と、ベルト部８１３の自由端側が切欠かれるようにして形成されている。くびれ部８２３は、フック部８２２をベルト部８１３から切離すための本実施形態における破断部に相当する。
【００８７】
ベルト部８１３の表面側（ハーネスＣ３のケーブルＣ３Ａと相対向する側）には、連結部８１４よりもベルト部８１３の付根部側において、舌片状の抑え片８２５が形成されている。
【００８８】
抑え片８２５は、ベルト部８１３の表面から、ベルト部８１３の付根部側へ斜めに延出形成されている。抑え片８２５の先端側（自由端側）は、ベルト部８１３の表面側へ若干折り曲げ形成されている。当該箇所が本実施形態における屈曲部に相当する。
【００８９】
次にベース部材８０２について説明する。ベース部材８０２の幅方向（図１０，１１の上下方向）両側部には、それぞれ前後方向（図１０〜１２の左右方向）に沿ってフランジ状のガイド片８０５が形成されている。
【００９０】
ガイド片８０５には、後側（図１０〜１２の左側）から前側（図１０〜１２の右側）に向けて切り込まれるようにスリット８０５ａが形成されている。これにより、各ガイド片８０５の外側には、それぞれ前側が固定端、後側が自由端となる舌片状の係止片８０６が形成されることとなる。
【００９１】
つまり、係止片８０６は、前後方向に沿って延び、ベース部材８０２の幅方向（図１０，１１の上下方向）に弾性変形可能となっている。係止片８０６の外側面は、外側に向け凹となるような略円弧状の湾曲面となっている。
【００９２】
ベース部材８０２の前縁部には、２つの封止部材８０３に対応して、各封止部材８０３の固定部８１２が嵌合される嵌合凹部８３０が２つ並設されている。各嵌合凹部８３０は、ベース部材８０２の表面から裏面にかけて形成されている。
【００９３】
嵌合凹部８３０の表裏両面には、それぞれ上記表裏両アーム部８１５，８１６の係止爪８１５ａ，８１６ａが係止される係止凹部８３０ａ，８３０ｂが形成されている（図２６参照）。嵌合凹部８３０が本実施形態における第１被係合部に相当する。
【００９４】
また、ベース部材８０２には、各嵌合凹部８３０の後方位置において、表裏に貫通する断面略矩形状の連結孔部８３５が形成されている。連結孔部８３５は、本実施形態における第２被係合部及び係合孔部に相当し、後述するように封止部材８０３の連結部８１４が挿入される。
【００９５】
連結孔部８３５の内部前側には、連結部８１４の挿入時にフック部８２２の先端部が係止される爪受部としての突起部８３５ａが形成されている。一方、連結孔部８３５の表面側開口部の後縁部には、連結部８１４の挿入を容易とするための面取り部８３５ｂが形成されている。
【００９６】
ベース部材８０２の表面には、嵌合凹部８３０と連結孔部８３５との間において、当該ベース部材８０２の幅方向に沿って、ハーネスＣ３のケーブルＣ３Ａが配設されるケーブル受部としての配設溝８３８が形成されている。
【００９７】
ベース部材８０２の後縁部には、当該ベース部材８０２の幅方向に沿って後壁部３９３が形成されている。後壁部３９３は、ガイド片８０５の表面に沿って形成された横壁部３９３ａと、ガイド片８０５の後端面に沿って形成された縦壁部３９３ｂとを備え、断面略Ｌ字状に形成されている。後壁部３９３の縦壁部３９３ｂは、その一部がベース部材８０２の裏面側へ突出している。
【００９８】
次に取付部９００について図２２〜図２６を参照して説明する。取付部９００は、ボックスカバー５６４の背壁部５６６に突出形成された平面視（背面視）略矩形状の台座部９０１を備えている。但し、図２２〜図２６では、取付部９００が形成されたボックスカバー５６４の背壁部５６６を簡略化して図示している。
【００９９】
台座部９０１の表面は、略平坦状に形成されている。ボックスカバー５６４の背壁部５６６と台座部９０１の表面との間には段差部９０１ａが形成されている。
【０１００】
台座部９０１の周囲には、一方（図５，７，８、図２２〜図２６における左側）が開口した平面視略コ字状の取付枠部９０２が設けられ、当該開口側から台座部９０１の表面上へハーネス封止ユニット８００（ベース部材８０２）が挿し込み可能となっている。
【０１０１】
より詳しくは、取付枠部９０２は、ハーネス封止ユニット８００の挿し込み方向（図５，７，８、図２２〜図２６における右方向：以下、単に「ユニット挿し込み方向」という）に沿って形成された一対の側壁部９０２ａと、両側壁部９０２ａのユニット挿し込み方向奥側（図５，７，８、図２２〜図２６における右側）の端部を繋ぐように形成された奥壁部９０２ｂを備えている。
【０１０２】
両側壁部９０２ａには、それぞれ相対向する内側面において、ユニット挿し込み方向に沿ってガイド溝９０３が形成されている。ガイド溝９０３は、ハーネス封止ユニット８００の挿入時に、ベース部材８０２のガイド片８０５が挿し込まれる部位である。
【０１０３】
また、台座部９０１には、ガイド溝９０３の形成範囲に対応して、ボックスカバー５６４の背壁部５６６の裏側まで貫通した貫通孔９０４が形成されている。これにより、ガイド溝９０３に対して、基板ボックス５６２の内部からアクセス可能となる。
【０１０４】
取付枠部９０２（側壁部９０２ａ）の開口側端部には、ガイド溝９０３の内側に向け突出した突起部９０３ａが形成されている。突起部９０３ａは、ハーネス封止ユニット８００の挿入時に、ベース部材８０２の係止片８０６の先端部が係止される部位となる。
【０１０５】
ここで、ベース部材８０２と封止部材８０３との組付手順について説明する。ベース部材８０２に対し封止部材８０３を組付ける際には、まずベース部材８０２の前縁部に形成された各嵌合凹部８３０に対し封止部材８０３の固定部８１２を挿し込んでいく。封止部材８０３の固定部８１２を嵌合凹部８３０に挿し込んでいくにつれ、表裏両アーム部８１５，８１６の係止爪８１５ａ，８１６ａが嵌合凹部８３０に接触しつつ、両アーム部８１５，８１６が弾性変形していく。そして、係止爪８１５ａ，８１６ａが係止凹部８３０ａ，８３０ｂに達すると、両アーム部８１５，８１６が元の状態に復元する。これにより、封止部材８０３の固定部８１２が嵌合凹部８３０に嵌合し、ベース部材８０２への封止部材８０３の組付けが完了する〔図１５〜図２１等参照〕。かかる状態では、ベース部材８０２の裏面と裏側のアーム部８１６の外壁面とが略面一となると共に、ベース部材８０２の前面とブリッジ部８１７の外壁面とが略面一となる。
【０１０６】
次にハーネス封止ユニット８００によるハーネスＣ３の封止手順について説明する。まずベース部材８０２に対し封止部材８０３を組付けた状態のハーネス封止ユニット８００を取付枠部９０２の開口部（ユニット挿し込み方向）に向かせる〔図２２（ａ）〜（ｃ）参照〕。
【０１０７】
続けて、ハーネス封止ユニット８００をユニット挿し込み方向に沿って動かし、取付枠部９０２のガイド溝９０３へ、ベース部材８０２のガイド片８０５を挿し込み、スライドさせていく。
【０１０８】
ハーネス封止ユニット８００を取付枠部９０２内へ挿し込んでいくにつれ、ベース部材８０２の係止片８０６は取付枠部９０２の側壁部９０２ａ（突起部９０３ａ）に接触しつつ、弾性変形していく。
【０１０９】
そして、ハーネス封止ユニット８００の先端が取付枠部９０２の奥壁部９０２ｂへ当接すると、係止片８０６は突起部９０３ａを通過し、元の状態に復元する。これにより、係止片８０６が突起部９０３ａに係止された状態となり、取付部９００へのハーネス封止ユニット８００の取付けが完了する〔図２３（ａ）〜（ｃ）参照〕。
【０１１０】
かかる状態となると、サブ制御装置５６０（基板ボックス５６２）を開放し、ボックスカバー５６４の背壁部５６６の裏側から係止片８０６を解除操作しない限り、ハーネス封止ユニット８００は取付部９００から取外し不能な状態となるため、通常時においては、ハーネス封止ユニット８００は、実質上、取外し不能に固定された状態となる。
【０１１１】
また、かかる状態では、ベース部材８０２の裏面と裏側のアーム部８１６の外壁面とが台座部９０１の表面に当接した状態となると共に、ベース部材８０２の前面とブリッジ部８１７の外壁面とが取付枠部９０２の奥壁部９０２ｂに当接した状態となる（図２６参照）。これにより、封止部材８０３がベース部材８０２から取外し不能な状態となる。
【０１１２】
さらに、かかる状態では、ベース部材８０２の後壁部３９３の横壁部３９３ａが取付枠部９０２の側壁部９０２ａの開口側端部に略当接した状態となると共に、後壁部３９３の縦壁部３９３ｂが台座部９０１の段差部９０１ａに略当接した状態となる。これにより、ガイド溝９０３内への針金等の進入を抑制し、係止片８０６に対し不正な解除操作が行われることを防止することができる。
【０１１３】
ハーネス封止ユニット８００の取付けが完了すると、ハーネス封止ユニット８００の配設溝８３８に沿って、ハーネスＣ３のケーブルＣ３Ａを配設する〔図２４（ａ）〜（ｃ）、図２６（ａ）参照〕。
【０１１４】
続けて、２つの封止部材８０３のうちの１つの封止部材８０３のベルト部８１３を、薄肉部８２０を基点として折り曲げていき〔図２６（ｂ）参照〕、連結部８１４をベース部材８０２の連結孔部８３５内へ挿入していく。連結部８１４を挿入していくにつれ、フック部８２２が突起部８３５ａに接触しつつ、弾性変形していく。そして、フック部８２２が突起部８３５ａを越えたところで、元の状態に復元し、その先端が突起部８３５ａに係止された状態となる〔図２６（ｃ）参照〕。これにより、連結部８１４が連結孔部８３５に対し取外し不能に係合された状態となり、ハーネスＣ３の封止が完了する。
【０１１５】
かかる状態となると、連結部８１４の基部８２１が連結孔部８３５に嵌り込み、蓋をした状態となる。これにより、連結孔部８３５内への針金等の進入を抑制し、フック部８２２に対し不正な解除操作が行われることを防止することができる。
【０１１６】
また、かかる状態となると、ベルト部８１３の抑え片８２５が配設溝８３８に入り込み、弾性変形した状態で、ハーネスＣ３のケーブルＣ３Ａを押圧した状態となる。これにより、ハーネスＣ３のケーブルＣ３Ａの配設状態が安定する。また、抑え片８２５の復元力により、フック部８２２がしっかりと突起部８３５ａに係止された状態となり、連結部８１４の係合状態が安定する。
【０１１７】
上述したように、抑え片８２５の先端側（自由端側）はベルト部８１３の表面側へ若干折り曲げ形成されている。このため、抑え片８２５が配設溝８３８へ入り込む際、抑え片８２５の先端が意図した方向とは逆方向へ折り曲がり、ケーブルＣ３Ａを適正に押圧した状態とならない等の不具合の発生を抑制することができる。
【０１１８】
さらに、抑え片８２５が配設溝８３８に入り込むことで、ベルト部８１３を撓ませてハーネスＣ３のコネクタＣ３Ｂをくぐらせるような行為が行いにくくなるため、ハーネスＣ３を取外す不正行為を抑制することができる。
【０１１９】
上記構成の下、ハーネスＣ３を取外そうとした場合には、必然的に封止部材８０３を切断しなければならない。つまり、ハーネスＣ３が取外された場合には、ハーネス封止ユニット８００において封止部材８０３の切断といった所定の痕跡が残るようになっている。これにより、ハーネスＣ３が不正に取外された旨を容易に発見することができる。
【０１２０】
このハーネス封止ユニット８００による封止処理は、その封止後のハーネスＣ３の不正な取外しを防止し、また万一不正に取外しが行われてもそのような事態を早期に且つ容易に発見可能とするものであって、一旦取外された後でも再度封止処理を行うことが可能である。すなわち、２本の封止部材８０３のうちの１本により封止処理が行われるとともに、ハーネスＣ３の不具合などによりハーネスＣ３を取外す場合には、後述するように当該封止部材８０３を切断する。その後、新たに封止処理を行う場合には、他の封止部材８０３を用いて上記同様の手順で行えばよい。従って、本実施形態では、２回まで封止処理を行うことができる。
【０１２１】
ここでハーネス封止ユニット８００の開封手順について説明する。ハーネスＣ３が封止された状態において〔図２６（ｃ）参照〕、開封作業者は、まず封止部材８０３のベルト部８１３の先端部（自由端）に指をかけ、当該ベルト部８１３の先端部に対し、ベース部材８０２の表側方向（図２６の上方向）へ力を加える。つまり、ベルト部８１３の先端部（自由端）が本実施形態における操作部を構成する。
【０１２２】
ベルト部８１３の先端側をベース部材８０２の表側方向へ押し上げていくと、フック部８２２がくびれ部８２３から切断される。同時に、ベルト部８１３が、抑え片８２５の復元力により、薄肉部８２０を基点として跳ね上げられるようにして開放する〔図２６（ｄ）参照〕。これにより、ハーネスＣ３を取外すことが可能となる。
【０１２３】
ベルト部８１３の開放後、切断されたフック部８２２は連結孔部８３５内に残る。また、開放されたベルト部８１３は、薄肉部８２０の復元力や、抑え片８２５に支持されることにより、ベース部材８０２から浮き上がった状態に維持される。従って、浮き上がった状態のベルト部８１３を一目見るだけで、当該ベルト部８１３が開放されていることを即座に把握することができる。
【０１２４】
さて、図６の説明に戻り、第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板３１１ａ（図９参照）により、賞品球や貸出球の払出が制御される。また、発射制御装置３１２の発射制御基板により、遊技者によるハンドル１８の操作に従い発射装置等の制御が行われ、電源装置３１３の電源基板３１３ａ（図９参照）により、各種制御装置等で要する所定の電源電圧が生成され出力される。
【０１２５】
上記払出制御装置３１１、発射制御装置３１２及び電源装置３１３についても、それぞれに対応する制御基板が基板ボックス３１５、３１６、３１７に収容されて構成されている。但し、発射制御装置３１２（基板ボックス３１６）は、電源装置３１３（基板ボックス３１７）の裏側に配置されている。また、払出制御装置３１１が収容される基板ボックス３１５には、前述した主制御装置２６１と同様に封印ユニットが設けられ、基板ボックス３１５の開封した痕跡が残るようになっている。
【０１２６】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【０１２７】
また、払出制御基板３１１ａの上縁部近傍にも、各種ハーネスのコネクタを接続するための複数の端子部（基板側コネクタ）５９２，５９３が設けられている。各端子部５９２，５９３は、払出制御基板３１１ａに突出形成されており、基板ボックス３１５の上部に開口した孔部を介して基板ボックス３１５外に露出状態となっている。
【０１２８】
端子部５９２は、上述したようにハーネスＣ９を介して主制御装置２６１の端子部７０６と電気的に接続される。
【０１２９】
一方、端子部５９３には、電源供給用のハーネスＣ１０が接続される。ハーネスＣ１０の他方は、電源装置３１３の図示しない端子部に接続される。
【０１３０】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【０１３１】
次に、裏パックユニット２０３の構成を説明する。裏パックユニット２０３は、樹脂成形された裏パック３５１と遊技球の払出機構部３５２とを一体化したものである。
【０１３２】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖されかつ前面及び下面が開放された形状をなし、少なくとも可変表示装置ユニット３５を囲むのに十分な大きさを有する。但し、本実施形態では、主制御装置２６１の一部も合わせて覆う構成となっている。保護カバー部３５４により、後述する上部のタンク３５５等から落下してくる遊技球等から可変表示装置ユニット３５が保護される。
【０１３３】
また、保護カバー部３５４の背面には多数の通気孔３５４ａが設けられている。但し、上記端子部７０２等に接続されるハーネスＣ３等への不正行為を抑制するために、端子部７０２等の後方位置には通気孔３５４ａが設けられていない。そして、裏パック３５１（裏パックユニット２０３）の閉鎖状態では、端子部７０２等に接続されたハーネスＣ３等のコネクタの抜け方向側を覆うようにして、保護カバー部３５４が配されることとなる。
【０１３４】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ３５８ａ等の所定の電気的構成により必要個数の遊技球の払出が適宜行われる。そして、払出装置３５８より払い出された遊技球は上記上皿１９等に供給される。
【０１３５】
また、払出機構部３５２には、払出制御装置３１１から払出装置３５８への払出指令の信号を中継する払出中継基板３８１が設置されると共に、外部より電源装置３１３に対し主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【０１３６】
次に、パチンコ機１０の電気的構成について説明する。図９は、本パチンコ機１０の電気的構成を示すブロック図である。パチンコ機１０の主制御装置２６１（主基板２６２）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【０１３７】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するメモリやエリアの他に、バックアップエリア５０３ａが設けられている。
【０１３８】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、ＮＭＩ端子（ノンマスカブル端子）への停止信号の入力により起動されるＮＭＩ割込み処理（このＮＭＩ割込みにより、電源断時の主制御装置２６１の状態がＲＡＭ５０３のバックアップエリア５０３ａに記憶される）によって停電の発生等による電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【０１３９】
かかるＲＯＭ５０２及びＲＡＭ５０３を内蔵したＣＰＵ５０１には、アドレスバス、データバス及び電源ライン等で構成されるバスライン５０４を介して入出力ポート５０５及び電源ポート５０７が接続されている。勿論、電源ラインがバスライン５０４から独立して配された構成であってもよい（他の基板の回路構成でも同様）。なお、入出力ポート５０５は、上記端子部７０１〜７０４や端子部７０６等によって構成され、電源ポート５０７は上記端子部７０５によって構成される。
【０１４０】
入出力ポート５０５には、後述するＲＡＭ消去スイッチ回路５４３、払出制御装置３１１、主中継基板５７０などが接続されている。その他、便宜上、図示は省略するが、上記第１契機対応口スイッチ２２４等の各種検出スイッチや、上記第１盤面中継基板等の各種基板などの各種電気部品が接続されている。
【０１４１】
また、主中継基板５７０は、上述したように主制御装置２６１の入出力ポート５０５と接続されるとともに、サブ制御装置５６０の入出力ポート５５４，電源ポート５５６、及び表示制御装置４５の電源ポート５３３に接続されている。なお、サブ制御装置５６０の入出力ポート５５４は上記コネクタ５７８により構成され、電源ポート５５６はコネクタ５７７により構成される。また、主中継基板５７０は、普通図柄表示装置４１及び特別表示装置４３とも電気的に接続されている。
【０１４２】
サブ制御装置５６０（サブ制御基板５６１）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン（電源ラインを含む）５５５、電源ポート５５６を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【０１４３】
入出力ポート５５４及び電源ポート５５６には、バスライン５５５を介してＣＰＵ５５１、ＲＯＭ５５２、ＲＡＭ５５３が接続されている。さらに、入出力ポート５５４には、表示制御装置４５、スピーカＳＰ、各種電飾部及びランプ１０２〜１０４等が接続されている。
【０１４４】
サブ制御装置５６０のＣＰＵ５５１は、例えば主中継基板５７０を介して主制御装置２６１から送信される指令信号（例えば変動パターンコマンド）に基づいて表示制御装置４５に表示制御を実行させ、装飾図柄表示装置４２に表示させる。さらに、サブ制御装置５６０は、音声やランプ表示の制御を司る。なお、上記のように、本実施形態では、主制御装置２６１が制御する特別表示装置４３にて大当たりか否かを表示するようになっており、サブ制御装置５６０が制御する装飾図柄表示装置４２では、前記特別表示装置４３の表示に合わせた表示が行われる。
【０１４５】
また、払出制御装置３１１（払出制御基板３１１ａ）は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１４６】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するメモリやエリアの他に、バックアップエリア５１３ａが設けられている。
【０１４７】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【０１４８】
かかるＲＯＭ５１２及びＲＡＭ５１３を内蔵したＣＰＵ５１１には、アドレスバス、データバス及び電源ライン等で構成されるバスライン５１４を介して入出力ポート５１５及び電源ポート５１７が接続されている。なお、入出力ポート５１５は、上記端子部５９２によって構成され、電源ポート５１７は上記端子部５９３によって構成されている。
【０１４９】
入出力ポート５１５には、ＲＡＭ消去スイッチ回路５４３、主制御装置２６１、発射制御装置３１２、払出モータ３５８ａなどがそれぞれ接続されている。そして、発射制御装置３１２や払出モータ３５８ａなどへの電源供給も、この払出制御装置３１１を介して行われる。
【０１５０】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【０１５１】
表示制御装置４５は、サブ制御装置５６０からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、ビデオディスプレイプロセッサ（ＶＤＰ）５２６と、入力ポート５２７と、出力ポート５２９と、バスライン（電源ラインを含む）５３０，５３１と、電源ポート５３３とを備えている。入力ポート５２７にはサブ制御装置５６０の入出力ポート５５４が接続されている。
【０１５２】
入力ポート５２７及び電源ポート５３３には、バスライン５３０を介して、ＣＰＵ５２１、プログラムＲＯＭ５２２、ワークＲＡＭ５２３、ＶＤＰ５２６が接続されている。なお、入力ポート５２７は上記端子部６５８により構成され、電源ポート５３３は端子部６５９により構成される。
【０１５３】
また、ＶＤＰ５２６にはバスライン５３１を介して出力ポート５２９が接続されており、その出力ポート５２９には液晶表示装置たる装飾図柄表示装置４２が接続されている。そして、装飾図柄表示装置４２への電源供給も、この表示制御装置４５を介して行われる。
【０１５４】
表示制御装置４５のＣＰＵ５２１は、サブ制御装置５６０から送信される表示コマンド（指令信号）を入力ポート５２７を介して受信するとともに、受信コマンドを解析し又は受信コマンドに基づき所定の演算処理を行ってＶＤＰ５２６の制御（具体的にはＶＤＰ５２６に対する内部コマンドの生成）を実施する。これにより、装飾図柄表示装置４２における表示制御を行う。
【０１５５】
プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１５６】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。
【０１５７】
ＶＤＰ５２６は、装飾図柄表示装置４２に組み込まれたＬＣＤドライバ（液晶駆動回路）を直接操作する一種の描画回路である。ＶＤＰ５２６はＩＣチップ化されているため「描画チップ」とも呼ばれ、その実体は、描画処理専用のファームウェアを内蔵したマイコンチップとでも言うべきものである。ＶＤＰ５２６は、ＣＰＵ５２１、ビデオＲＡＭ５２４等のそれぞれのタイミングを調整してデータの読み書きに介在するとともに、ビデオＲＡＭ５２４に記憶される表示データを所定のタイミングで読み出して装飾図柄表示装置４２に表示させる。
【０１５８】
また、電源装置３１３（電源基板３１３ａ）は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。
【０１５９】
電源部５４１は、上記ハーネスＣ１等の電気経路を通じて、主制御装置２６１や払出制御装置３１１等に対して各々に必要な動作電源（駆動電力）を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。
【０１６０】
上述したように、電源部５４１は、主制御装置２６１の電源ポート５０７や、払出制御装置３１１の電源ポート５１７に接続されるとともに、主中継基板５７０を介してサブ制御装置５６０の電源ポート５５６や、表示制御装置４５の電源ポート５３３に接続されている。
【０１６１】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１６２】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１６３】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１６４】
以上詳述したように、本実施形態では、連結部８１４のフック部８２２をベルト部８１３から切離し可能とするくびれ部８２３を備えている。このため、ニッパーやカッター等の工具を用いることなく、素手で力を加える等して、フック部８２２をベルト部８１３から切離すことが可能となる。従って、故障など正当な理由から、ハーネスＣ３を取外さなければならない状況となった場合には、ベルト部８１３を引っ張る等してフック部８２２を切離すことで、比較的容易に封止部材８０３を切断し、ハーネスＣ３の封止解除を行うことができる。つまり、正当な理由の下で行う作業の効率を妨げることなく不正行為のみをより確実に抑止することができる。結果として、不正行為の抑制を図ると共に、利便性の向上を図ることができる。
【０１６５】
また、本実施形態によれば、ニッパー等を使用する必要がないため、ニッパー等により誤ってハーネスＣ３を損傷させてしまうような不具合の発生を抑制することができる。特に、本実施形態のように比較的小型で作業の行いにくいハーネス封止ユニット８００（封止部材８０３）においてより奏効することとなる。
【０１６６】
仮にくびれ部８２３をニッパー等の工具を用いて切断するとしても、当該くびれ部８２３が、ハーネスＣ３のケーブルＣ３Ａを跨ぐベルト部８１３になく、当該ベルト部８１３を切断しなくともよいため、誤ってケーブルＣ３Ａを損傷させてしまうような不具合の発生を極力抑えることができる。
【０１６７】
さらに、本実施形態では、連結部８１４を連結孔部８３５に挿し込み、フック部８２２を突起部８３５ａに係合させるといったように、ワンタッチでのハーネスＣ３の封止作業が可能となるため、例えば結束バンドのように、取付後にバンド部を引締めるような作業を必要とせず、作業性の向上を図ることができる。加えて、フック部８２２と突起部８３５ａとの係合箇所が連結孔部８３５の内部となるため、フック部８２２の解除操作が困難となり、さらなる不正抑止効果の向上を図ることができる。
【０１６８】
また、本実施形態では、主基板２６２の端子部７０２と主中継基板５７０の端子部５７３とに接続されるハーネスＣ３として比較的ケーブル長の短いものを採用しているため、所謂「ぶら下げ」等の不正行為が行われにくい構成となっている。さらに、当該ハーネスＣ３に関しては、ハーネス封止ユニット８００により封止されることにより、他のハーネスに比べ一目で把握しやすい構成となっているため、仮に当該ハーネスＣ３に対し上記不正行為が行われた場合には、当該不正行為を早期に発見しやすくなる。
【０１６９】
また、本実施形態に係るハーネス封止ユニット８００によれば、後述する第２実施形態に係るハーネス封止ユニットのように、結束バンドを用いる構成に比べ、封止部材８０３の長さを比較的短くでき、ハーネス封止ユニットの小型化を図ることが容易となる。
【０１７０】
尚、近年では、コマンド等の指令信号に関してもシリアル送信されるなど、当該信号の送受信にかかるハーネスも小型化される傾向にある（ハーネスＣ３参照）。つまり、ハーネスのケーブルを構成する信号線の本数も少なくなるため（例えばハーネスＣ３では２芯）、これに対応して本実施形態のように封止部材を小型化することも検討されている。しかし、封止部材が小型化されると、仮に封止部材が切断等されて不正行為が行われた場合に、当該封止部材が開封されているか否かが一目で把握しづらくなり、封止部材の作用効果が薄れることが懸念される。これに対し、本実施形態では、上述したように、抑え片８２５を備えることにより、前述のような不具合の発生を抑制することができる。
【０１７１】
また、本実施形態のようにベルト部８１３の両端同士を接続しない構成の封止部材は、例えばインシュロック（登録商標）等のように環状に接続される封止部材に比べ、封止時の弾性収縮率が小さく、切断時の復元力が小さくなることが懸念される。つまり、仮に封止部材が切断等されて不正行為が行われた場合に、当該封止部材が開封されているか否かが一目で把握しづらいおそれがある。これに対し、本実施形態では、上述したように、封止時に薄肉部８２０を屈曲させることや、抑え片８２５を備えることにより、前述のような不具合の発生を抑制することができる。
【０１７２】
〔第２実施形態〕
次に、主基板２６２と主中継基板５７０とを接続するハーネスＣ３の取外しを防止するためのハーネス封止ユニットの第２実施形態について図２７，２８を参照して説明する。なお、便宜上、上記第１実施形態と同一構成部分については、同一符号を付し、その詳細な説明を省略する。
【０１７３】
図２７，２８に示すように、本実施形態に係るハーネス封止ユニット１８００は、ボックスカバー５６４の下部において、凹部５７４に隣接して形成された取付部としての取付凹部１８０１に取着されている。
【０１７４】
ハーネス封止ユニット１８００は、支持部材としてのベース部材１８０２と、封止部材としての４本の結束バンド１８０３とから構成されている。
【０１７５】
ベース部材１８０２には、略平板状の基部１８０５と、当該基部１８０５に直交する側壁部１８０６とからなり、断面略Ｌ字状に形成されている。基部１８０５の裏側には、一対の係止爪１８０７が突出形成されている。
【０１７６】
これに対応して、取付凹部１８０１は、ベース部材１８０２の取付状態において、当該ベース部材１８０２の基部１８０５が当接する底部１８０９と、ベース部材１８０２の側壁部１８０６が相対向する側壁部１８１０とを備えている。
【０１７７】
底部１８０９には、係止爪１８０７が差し込まれる一対の差込み孔１８１１が形成されている。そして、係止爪１８０７が差込み孔１８１１に差し込まれ、底部１８０９の裏側に係止されることで、ハーネス封止ユニット１８００が取付凹部１８０１に対し固定される。ボックスカバー５６４が取外されない限り、係止爪１８０７の係止状態を解除できないため、通常時においては、ハーネス封止ユニット１８００は、実質上、取外し不能に固定された状態となる。
【０１７８】
結束バンド１８０３は、使用時においてベース部材１８０２に固定される第２係合部及び係合突部としての頭部１８１３と、当該頭部１８１３から延出した帯状のベルト部としてのバンド部１８１４とから構成されている。バンド部１８１４は、軟質の合成樹脂材料により形成されており、可撓性を有している。
【０１７９】
ベース部材１８０２には、側壁部１８０６において、結束バンド１８０３の頭部１８１３が固定される固定孔１８１５が形成されるとともに、基部１８０５において、バンド部１８１４が挿通される挿通孔１８１６が形成されている。固定孔１８１５及び挿通孔１８１６は、４つの結束バンド１８０３に対応して、それぞれ４つずつ設けられている。
【０１８０】
なお、結束バンド１８０３の頭部１８１３には、断面略Ｖ字状に屈曲形成された係合爪としてのフック部１８１３ａが形成されている。これに対応して、第２被係合部及び係合孔部としての固定孔１８１５内には、爪受部としての突起部１８１５ａが形成されている。そして、結束バンド１８０３の使用時には、当該結束バンド１８０３の頭部１８１３のフック部１８１３ａを固定孔１８１５内に押し込み、突起部１８１５ａに係止することにより、当該結束バンド１８０３の頭部１８１３がベース部材１８０２に対し離脱不能に固定される。
【０１８１】
また、ベース部材１８０２の基部１８０５の裏面には、各バンド部１８１４に沿うように４本の溝部１８１９が形成されている。これに対応して、取付凹部１８０１の側壁部１８１０にも、ベース部材１８０２の溝部１８１９に連なる溝部１８２０が形成されている。これにより、ハーネス封止ユニット１８００の取付け状態においては、ベース部材１８０２の溝部１８１９と取付凹部１８０１の底部１８０９との間、及び、ベース部材１８０２の側壁部１８０６と取付凹部１８０１の溝部１８２０との間にバンド部１８１４が挿通される挿通路が形成されることとなる。そして、この挿通路を介して、バンド部１８１４の自由端側が外部に突出した状態となっている。
【０１８２】
また、取付凹部１８０１の底部１８０９には、ベース部材１８０２の各溝部１８１９と相対向する位置において、それぞれ薄肉の金属片１８２２が取着されている。金属片１８２２の側壁部１８１０側（図２８の右側）の端部には、当該端部が断面略く字状に溝部１８１９側へ屈曲されることによって、弾性を有した係合片部１８２２ａが形成されている。金属片１８２２が本実施形態にける第１被係合部を構成する。
【０１８３】
一方、結束バンド１８０３のバンド部１８１４には、取付凹部１８０１の底部１８０９と対向する側において、複数の係合突起部１８２５が鋸刃状に形成されている。各係合突起部１８２５は、バンド部１８１４の長手方向（図２８の左右方向）に対し傾斜した傾斜面と、バンド部１８１４の長手方向に対し直交した直立面とを備えている。前記傾斜面は、バンド部１８１４の自由端側（図２８の右側）に位置し、前記直立面は、バンド部１８１４の固定端側（図２８の左側）すなわち頭部１８１３側に位置している。係合突起部１８２５が本実施形態にける第１係合部を構成する。
【０１８４】
また、フック部１８１３ａの付根部には、当該フック部１８１３ａの他の部位よりも細くなった破断部としてのくびれ部１８３１が形成されている。
【０１８５】
バンド部１８１４の表面側（ハーネスＣ３のケーブルＣ３Ａと相対向する側）には、頭部１８１３よりもバンド部１８１４の自由端側において、舌片状の抑え片１８３２が形成されている。
【０１８６】
抑え片１８３２は、バンド部１８１４の表面側から、バンド部１８１４の自由端側（頭部１８１３から離間する側）へ斜めに延出形成されている。抑え片１８３２の先端側（自由端側）は、バンド部１８１４の表面側へ若干折り曲げ形成されている。
【０１８７】
ハーネス封止ユニット１８００によってハーネスＣ３を封止する手順としては、先ずベース部材１８０２の基部１８０５上にハーネスＣ３のケーブルＣ３Ａを配置した後、４本の結束バンド１８０３のうちの１本によってハーネスＣ３のケーブルＣ３Ａを巻き込みつつ、上述したように当該結束バンド１８０３の頭部１８１３をベース部材１８０２に対し固定する。
【０１８８】
次に、当該結束バンド１８０３のバンド部１８１４の自由端側を引っ張り、締め付ける。この際、金属片１８２２の係合片部１８２２ａは、バンド部１８１４の移動に伴い複数の係合突起部１８２５の傾斜面と摺接を繰り返すことで連続して撓むため、バンド部１８１４の移動が許容される。
【０１８９】
バンド部１８１４をある程度、締め付けると、バンド部１８１４は自身又は頭部１８１３の復元力により固定端側へ戻ろうとする。この際には、金属片１８２２の係合片部１８２２ａの先端が、バンド部１８１４の所定の係合突起部１８２５の直立面に引っ掛かる。これにより、バンド部１８１４はそれ以上固定端側へ移動できなくなり、ハーネスＣ３を保持した状態で、バンド部１８１４の取外しが不能な状態となる。
【０１９０】
従って、ハーネスＣ３を取外そうとした場合には、必然的に結束バンド１８０３を切断しなければならない。つまり、ハーネスＣ３が取外された場合には、ハーネス封止ユニット１８００において結束バンド１８０３の切断といった所定の痕跡が残るようになっている。これにより、ハーネスＣ３が不正に取外された旨を容易に発見することができる。
【０１９１】
このハーネス封止ユニット１８００による封止処理は、その封止後のハーネスＣ３の不正な取外しを防止し、また万一不正に取外しが行われてもそのような事態を早期に且つ容易に発見可能とするものであって、一旦取外された後でも再度封止処理を行うことが可能である。すなわち、４本の結束バンド１８０３のうちの１本により封止処理が行われるとともに、ハーネスＣ３の不具合などによりハーネスＣ３を取外す場合には、上記第１実施形態と同様に、当該結束バンド１８０３のくびれ部１８３１からフック部１８１３ａを切断し、当該結束バンド１８０３を開放する。その後、新たに封止処理を行う場合には、他の結束バンド１８０３を用いて上記同様の手順で行えばよい。従って、本実施形態では、４回まで封止処理を行うことができる。
【０１９２】
以上詳述したように、本実施形態によれば、上記第１実施形態と同様の作用効果が奏される。
【０１９３】
なお、上述した実施形態の記載内容に限定されず、例えば次のように実施してもよい。
【０１９４】
（ａ）上記実施形態では、主基板２６２と主中継基板５７０とを接続するハーネスＣ３を封止するためにハーネス封止ユニット８００（１８００）を備えた構成となっている。これに限らず、他のハーネスを封止する構成としてもよい。
【０１９５】
（ｂ）上記実施形態では、主中継基板５７０を備えた構成となっているが、これに限らず、主中継基板５７０を省略し、主基板２６２とサブ制御基板５６１とが直接的にハーネスによって接続される構成としてもよい。また、主中継基板５７０を、サブ制御装置５６０の基板ボックス５６２とは別の基板ボックスに収容した構成としてもよい。
【０１９６】
（ｃ）上記実施形態では、ハーネス封止ユニット８００（１８００）をボックスカバー５６４の背壁部５６６の取付部９００（取付凹部１８０１）に取付ける構成となっている。ハーネス封止ユニット８００等の取付位置は、これに限定されるものではない。例えば、主制御装置２６１の基板ボックス２６３に取付ける構成としてもよい。かかる基板ボックス２６３は、封印ユニット２６４Ａ，２６４Ｂにより封印されており、当該封印を解除しないかぎり、ハーネス封止ユニット８００等を取外すことができないようになるため、さらなる不正抑止効果の向上を図ることができる。
【０１９７】
（ｄ）上記実施形態では、ベース部材８０２（ベース部材１８０２）を介して封止部材８０３（結束バンド１８０３）をボックスカバー５６４に組付ける構成となっているが、これに限らず、ベース部材８０２等を省略し、封止部材８０３等を直接的にボックスカバー５６４に組付ける構成としてもよい。
【０１９８】
（ｅ）上記実施形態では、ハーネス封止ユニット８００（１８００）を取付部９００（取付凹部１８０１）に取付けることにより、封止部材８０３（結束バンド１８０３）の一方の係合部である固定部８１２（係合突起部１８２５）がボックスカバー５６４に対し取外し不能に係合された状態となるとなることが可能となる。
【０１９９】
これに限らず、例えばベース部材８０２（ベース部材１８０２）や取付部９００（取付凹部１８０１）に対し、封止部材８０３（結束バンド１８０３）の一方の係合部である固定部８１２（係合突起部１８２５）を所定の固定手段により直接的に取外し不能に取付ける構成としてもよい。
【０２００】
固定手段としては、例えば接着剤や硬化性樹脂材料、破断ねじ、ワンウェイねじ、カシメピンなどが一例に挙げられる。ここで、硬化性樹脂とあるのは、当初液状又はペースト状をなし、充填後、硬化する性質を有する樹脂をいう。硬化性樹脂としては、レーザ光等の光を照射することで硬化する光硬化性樹脂や、紫外線を照射することで硬化する紫外線硬化性樹脂などが挙げられる。
【０２０１】
また、他方の係合部である連結部８１４（フック部１８１３ａ）を連結孔部８３５（固定孔１８１５）に係合した後、当該連結孔部８３５等へ接着剤や硬化性樹脂材料等を注入し、連結部８１４等が取外し不能となる構成としてもよい。
【０２０２】
（ｆ）封止部材８０３（結束バンド１８０３）の数は、上記実施形態に限定されるものではない。例えば１つだけ設けられた構成としてもよい。
【０２０３】
（ｇ）破断部の構成は、上記実施形態に係るくびれ部８２３（くびれ部１８３１）に限定されるものではない。
【０２０４】
例えば、破断部として、スリットや、断面略Ｖ字溝状の切欠き部などを備えた構成としてもよい。
【０２０５】
（ｈ）上記第１実施形態では、フック部８２２の切断に際し、操作部としてのベルト部８１３の先端部に指をかけ、当該ベルト部８１３に対し力を加える構成となっている。
【０２０６】
これに限らず、例えば上記第２実施形態の頭部１８１３（図２８参照）のように、ベルト部８１３の先端部等に、操作部として、比較的大きく作業者が把持可能な把持部（図２８の「把持部１８１３ｃ」参照）を備えた構成としてもよい。かかる構成により、把持部を摘んで捻るなど、ベルト部８１３に対しより力を加えやすくなる。結果として、フック部８２２の切断作業をより容易に行うことができる。さらに、力を加えやすくするため、操作部として、マイナスドライバー等の工具を係合可能な工具係合部（図２８の「工具係合部１８１３ｄ」参照）を備えた構成としてもよい。
【０２０７】
（ｉ）上記第１実施形態において、ベルト部８１３にインサート部材（金属片等）を埋設した構成としてもよい。かかる構成とすることにより、ベルト部８１３の撓みを抑制すると共に、くびれ部８２３からフック部８２２を切断する際に、誤ってベルト部８１３が切断されてしまうような不具合の発生を防止することができる。
【０２０８】
（ｊ）上記第１実施形態において、ベルト部８１３の両側に、上記連結部８１４（くびれ部８２３を含む）と同様の係合部を備えると共に、当該係合部が係合される上記連結孔部８３５と同様の被係合部を備えた構成としてもよい。
【０２０９】
（ｋ）弾性片としての抑え片８２５（抑え片１８３２）の構成は上記実施形態に限定されるものではない。例えば、抑え片８２５（抑え片１８３２）の先端部が折り曲げ形成されていない構成としてもよい。また、上記実施形態とは異なる方向へ、抑え片８２５（抑え片１８３２）が延出された構成としてもよい。
【０２１０】
また、開放されたベルト部８１３等をベース部材８０２等から浮き上がった状態に維持する効果を得るだけであれば、ハーネスＣ３の封止時において、抑え片８２５等が配設溝８３８等に入り込んだり、ケーブルＣ３Ａを押え付ける必要はない。
【０２１１】
また、抑え片８２５（抑え片１８３２）の効果を得るだけであれば、くびれ部８２３（くびれ部１８３１）を省略することも可能である。
【０２１２】
（ｆ）上記実施形態とは異なるタイプのパチンコ機として実施してもよい。また、パチンコ機以外にも、アレンジボール機、それに類する雀球等の各種遊技機、スロットマシン等の回胴式遊技機などとして実施してもよい。
【０２１３】
以下、特許請求の範囲の請求項に記載されないものであって、上記実施形態から把握できる技術的思想について、その効果とともに記載する。
【０２１４】
手段１．複数の電気部品がハーネスを介して電気的に接続されると共に、
所定の契機に基づき抽選を行い、当該抽選により当選結果が得られた場合には遊技者にとって有利な特別遊技状態を発生させる遊技機であって、
所定部材に対し前記ハーネスを封止する封止部材を備え、
前記封止部材は、
前記ハーネスのケーブルに交差するように配設されるベルト部と、
前記ベルト部の一端側に設けられ、所定の第１被係合部に対し取外し不能に係合される第１係合部と、
前記ベルト部の他端側に設けられ、所定の第２被係合部に対し取外し不能に係合される第２係合部と、
前記第１係合部及び第２係合部の少なくとも一方に対応して設けられ、当該係合部を前記ベルト部から切離し可能とする破断部とを備えていることを特徴とする遊技機。
【０２１５】
上記手段１によれば、ハーネスを封止する封止部材を備えている。これにより、万が一、封止部材が切断等されて不正行為が行われた場合には、一部が破損するなど何らかの形跡が残り、それを確認することで不正行為を容易に発見することができる。そのため、ハーネスを不正に取外す不正行為等の直接的な防止はもとより、不正行為を早期発見できるという側面からも不正行為の抑止を図ることができる。
【０２１６】
一方、本手段では、係合部をベルト部から切離し可能とする破断部を備えている。このため、ニッパーやカッター等の工具を用いることなく、素手で力を加える等して、係合部をベルト部から切離すことが可能となる。従って、故障など正当な理由から、ハーネスを取外さなければならない状況となった場合には、ベルト部を引っ張る等して係合部を切離すことで、比較的容易に封止部材を切断し、ハーネスの封止解除を行うことができる。つまり、正当な理由の下で行う作業の効率を妨げることなく不正行為のみをより確実に抑止することができる。結果として、不正行為の抑制を図ると共に、利便性の向上を図ることができる。
【０２１７】
また、本手段によれば、ニッパー等を使用する必要がないため、ニッパー等により誤ってハーネスを損傷させてしまうような不具合の発生を抑制することができる。かかる不具合は、例えばケーブルを構成する信号線の本数が少ないハーネス（例えば２芯）に対応したような、比較的小型で作業の行いにくい封止部材において発生しやすい。従って、本手段は、このような比較的小型の封止部材においてより奏効することとなる。近年では、コマンド等の指令信号に関してもシリアル送信されるなど、当該信号の送受信にかかるハーネスも小型化される傾向にあるため、本手段の利用範囲も大きい。
【０２１８】
また、仮に破断部をニッパー等の工具を用いて切断するとしても、当該破断部が、ケーブルと交差するベルト部になく、当該ベルト部を切断しなくともよいため、誤ってハーネスを損傷させてしまうような不具合の発生を極力抑えることができる。
【０２１９】
尚、以下の手段においても同様であるが、「電気機器」としては、例えば、遊技に関する所定の制御を行なう制御基板（主基板等）、当該制御基板との間で信号の送信又は受信を行う他の基板（サブ基板や中継基板等）、パチンコ機における入球検出スイッチや可変入賞装置、スロットマシンにおけるスタートレバーやストップスイッチなどが一例に挙げられる。
【０２２０】
「所定部材」としては、例えば基板を被包する基板ボックス、遊技盤、扉体などが一例に挙げられる。
【０２２１】
「所定の契機」としては、例えばパチンコ機等において所定の入球検出スイッチからの検知信号の入力や、スロットマシン等においてスタートレバー等の操作手段の操作を検知する操作検知スイッチからの検知信号の入力などが一例に挙げられる。
【０２２２】
ハーネスを「封止する」とは、ハーネスを取外し不能に拘束することを意味し、ハーネスや封止部材（係合部）等が「取外し不能」とあるのは、例えば何らかの部材を切断、破壊、開放等しない限り、通常の状態においては、ハーネスや封止部材等を取外すことができない又は極めて困難であるといった意味である。
【０２２３】
「破断部」としては、例えばミシン目状に並んだスリットや、他の部位よりも厚みが薄くなった薄肉部などが挙げられる。
【０２２４】
手段２．前記ハーネスのケーブルが配設されるケーブル受部と、前記封止部材の第１係合部が係合される前記第１被係合部と、前記封止部材の第２係合部が係合される前記第２被係合部とを有し、前記所定部材の取付部に対し取外し不能に取付けられる支持部材を備え、
少なくとも前記支持部材が前記取付部に対し取付けられた状態において、
前記第１係合部が前記第１被係合部に対し取外し不能に係合された状態となり、
前記第２係合部が前記第２被係合部に対し取外し不能に係合された状態となることを特徴とする手段１に記載の遊技機。
【０２２５】
上記手段２によれば、所定部材とは別体で、封止部材を組付ける支持部材を備えることにより、所定部材の構成の複雑化を抑制すると共に、封止部材の汎用性を高めることができる。結果として、さらなる利便性の向上を図ることができる。
【０２２６】
手段３．前記第１係合部及び前記第２係合部の少なくとも一方は、前記ベルト部から突出しかつその先端部に係合爪を有する係合突部であって、
当該係合突部に対応する前記第１被係合部及び前記第２被係合部の少なくとも一方は、前記係合突部を挿入可能な係合孔部であって、当該係合孔部の内部において前記係合爪が係合される爪受部を備えていることを特徴とする手段２に記載の遊技機。
【０２２７】
上記手段３によれば、係合突部を係合孔部に挿し込み、係合爪を爪受部に係合させるといったように、ワンタッチでのハーネスの封止作業が可能となるため、作業性の向上を図ることができる。また、係合爪と爪受部との係合箇所が係合孔部の内部となるため、係止爪の解除操作が困難となり、さらなる不正抑止効果の向上を図ることができる。
【０２２８】
手段４．前記係合突部（係合爪）と前記係合孔部（爪受部）との係合状態において、当該係合孔部の開口部を塞ぐ蓋部を備えたことを特徴とする手段３に記載の遊技機。
【０２２９】
上記手段４によれば、係合孔部内への針金等の進入を抑制し、係止爪が不正に解除操作されることを抑制することができる。
【０２３０】
手段５．前記ベルト部は、前記破断部を有する前記第１係合部又は前記第２係合部の位置よりも、その長手方向端部側において、当該ベルト部を操作可能な操作部を備えていることを特徴とする手段１乃至４のいずれかに記載の遊技機。
【０２３１】
上記手段５によれば、操作部を備えることにより、ベルト部に力を加えやすくなり、係合部をベルト部から切離す作業を行いやすくなる。結果として、作業性の向上を図ることができる。
【０２３２】
手段６．前記ベルト部は、その長手方向における前記第１係合部と前記第２係合部との間の位置において薄肉部を備え、前記第１係合部又は前記第２係合部を当該係合部に対応する前記第１被係合部又は前記第２被係合部に係合させた状態で、前記薄肉部を基点として折り曲げ可能（傾倒可能）に構成されていることを特徴とする手段１乃至５のいずれかに記載の遊技機。
【０２３３】
上記手段６によれば、例えば一方の係合部を所定部材（支持部材）に係合させた状態で、当該所定部材にハーネスのケーブルを配設した後、薄肉部を基点としてベルト部を折り曲げ（傾倒させ）て、他方の係合部を所定部材に係合させるといったように、ハーネスの封止作業を比較的容易に行うことができる。結果として、作業性の向上を図ることができる。
【０２３４】
また、上記構成を採用することにより、薄肉部以外のベルト部全体を比較的剛性の高い構成（肉厚が厚い構成）とすることも可能となるため、結束バンド等のように可撓性のあるベルト部に比べ、ベルト部を撓ませてハーネスのコネクタをくぐらせるような行為が行いにくくなる。結果として、ハーネスを取外す不正行為を抑制することができる。
【０２３５】
手段７．所定の電気機器との間で信号の送信又は受信を行うための端子部（基板側コネクタ）を具備してなる基板と、
前記端子部を露出させた状態で前記基板を被包する被包部材（基板ボックス）と、
前記被包部材を封印する封印手段とを備え、
前記端子部に対し、前記電気機器と電気的に接続されたハーネスのコネクタ（ハーネス側コネクタ）が接続される構成において、
前記所定部材は、前記被包部材であることを特徴とする手段１乃至６のいずれかに記載の遊技機。
【０２３６】
上記手段７によれば、被包部材の封印を解除しないかぎり、封止部材や支持部材を取外し不能となるため、上記不正抑止効果をさらに向上させることができる。
【０２３７】
以下に、上記各手段が適用される各種遊技機の基本構成を示す。
【０２３８】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【０２３９】
Ｂ．上記各手段における前記遊技機、又は、上記各弾球遊技機は、パチンコ機又はパチンコ機に準ずる遊技機であること。
【０２４０】
Ｃ．上記各手段における遊技機は、スロットマシン等の回胴式遊技機であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成した回胴式遊技機」が挙げられる。
【符号の説明】
【０２４１】
１０…パチンコ機、２６１…主制御装置、５６０…サブ制御装置、５６１…サブ制御基板、５６２…基板ボックス、５６４…ボックスカバー、５６６…背壁部、５７０…主中継基板、８００…ハーネス封止ユニット、８０２…ベース部材、８０３…封止部材、８１２…固定部、８１３…ベルト部、８１４…連結部、８２０…薄肉部、８２１…基部、８２２…フック部、８２３…くびれ部、８２５…抑え片、８３０…嵌合凹部、８３５…連結孔部、８３５ａ…突起部、８３８…配設溝、９００…取付部、９０１…台座部、９０２…取付枠部、Ｃ３…ハーネス、Ｃ３Ａ…ケーブル、Ｃ３Ｂ…コネクタ。
【図１】
2014008191.tif 000003
【図２】
2014008191.tif 000004
【図３】
2014008191.tif 000005
【図４】
2014008191.tif 000006
【図５】
2014008191.tif 000007
【図６】
2014008191.tif 000008
【図７】
2014008191.tif 000009
【図８】
2014008191.tif 000010
【図９】
2014008191.tif 000011
【図１０】
2014008191.tif 000012
【図１１】
2014008191.tif 000013
【図１２】
2014008191.tif 000014
【図１３】
2014008191.tif 000015
【図１４】
2014008191.tif 000016
【図１５】
2014008191.tif 000017
【図１６】
2014008191.tif 000018
【図１７】
2014008191.tif 000019
【図１８】
2014008191.tif 000020
【図１９】
2014008191.tif 000021
【図２０】
2014008191.tif 000022
【図２１】
2014008191.tif 000023
【図２２】
2014008191.tif 000024
【図２３】
2014008191.tif 000025
【図２４】
2014008191.tif 000026
【図２５】
2014008191.tif 000027
【図２６】
2014008191.tif 000028
【図２７】
2014008191.tif 000029
【図２８】
2014008191.tif 000030